(57)【要約】【課題】移動や持ち運びが容易で任意の場所に設置でき、電源工事を必要とせずに簡単にスコア表示ができてしかもユニットの組合せで複数の競技に使用できることを目的とする。【解決手段】スコアボードを得点表示部３（３ａ、３ｂ、３ｃ、３ｄ）とストライク、ボール、アウト表示のカウント表示部とスコア入力ユニットに分割しそれぞれ独立して動作できる機能を備える。野球スコアボードとして使用する場合は全ユニットを並べて接続する。サッカースコアボードの場合は、得点表示部３ａ、３ｄにＰＫ表示部４ｂを使用し、得点部のスコア識別をサッカー専用のスコア識別シート２６に張替える。スコアの表示は操作スイッチ９またはスコア入力端末２から入力する。【選択図】図１
2005007112.tif 000002
【特許請求の範囲】
【請求項１】
競技の回数毎の得点を表示する得点表示手段と総合得点を表示する総合得点表示手段とストライク、ボール、アウトの状態を表示するカウント表示手段とスコアボードを操作するスコア入力手段とからなるスコアボード装置において、回数毎の得点表示を３イニング毎にひとつのユニットとし、総合得点表示手段、カウント表示手段、スコア入力手段のユニットに分割するとともに、すべてのユニットで制御ＣＰＵと通信手段とを具備し、カウント表示手段ユニットからの通信手段により得点表示手段ユニットに得点表示を行うようにすることと、競技で必要なユニットを並べて使用することを特徴とするスコアボード装置。
【請求項２】
得点表示手段の識別名称は着脱可能なシートとし競技に応じて張替えて使用できることを事を特徴とした請求項１記載のスコアボード装置。
【発明の詳細な説明】
【０００１】
【発明の属する技術分野】
本発明は、少年サッカーや軟式野球およびソフトボール競技等でスコアを表示するスコアボード装置に関し、スコアボードの既設されているグランド以外の学校や運動場等で使用される持ち運びできる電気的に動作するスコアボード装置に関する。
【０００２】
【従来の技術】学校や運動場等でサッカーおよび軟式野球やソフトボール等のスポーツ競技を行う場合には、黒板を新たに用意したり、既設の黒板形式のボードに白墨やホワイトペンでスコアを記入することでスコアボードとして使用している。しかして、黒板や既設のスコアボードでは、移動や持ち運びが不便な点と、野球やソフトボールでは、ストライク、ボール、アウトの表示がないなど、競技の運営上不便がある。
【０００３】
【発明が解決しようとする課題】本発明は、上記問題点に鑑みなされたもので持ち運びが便利で、設置場所が自由でしかも視認距離が取れる公式グランドと同じ機能を備えたスコアボード装置を提供することを目的とする。
【０００４】
【課題を解決するための手段】本発明は上述の課題を解決するため、電池を動力源としスコアボードを持ち運びしやすくするために機能別にそれぞれ独立させた筐体のユニット構造とし、競技種別で必要とするユニットだけ並べて使用できるようにしたことを特徴とする。
【０００５】
得点部は磁気反転素子で７セグメント数字、カウント部は円形型の磁気反転素子で構成し視認距離７０ｍ以上の大きさにする。
【０００６】
得点部およびカウント表示部は、各々マイコンを搭載した制御基板を具備し、カウント表示部を主制御部として得点表示内容を通信手段で指令する。
【０００７】
装置の動力源は一次電池または二次電池とし、カウント表示部に収納し得点部へ動力源を分配する。
【０００８】
【作用】本発明考案によれば、電池を動力源としスコアボードを持ち運び可能な大きさに分割することで、簡単に移動できるとともに設置場所が自由で容易に組み立てられるため作業時間を少なくできる。
【０００９】
得点部を共通サイズに分割し、同一構造にすることで、製造する場合に量産効果が得られコストを安くできる。
【００１０】
得点部の組み合わせと得点識別シールを貼ることであらゆるスポーツ競技で使用できる。
【００１１】
【発明の実施形態】
以下、本発明の実施形態を図１〜図７に基づいて説明する。
【００１２】
図１は本発明による多機能スコアボードの本体部の構成を示す全体図、図２は本発明によるスコアボードを野球競技で使用した場合の外観図、図３は本発明によるスコアボードをサッカー競技で使用した場合の外観図、図４は本発明によるカウント表示・制御部のハード構成を示すブロック図、図５は本発明による得点部のハード構成を示すブロック図、図６は本発明による得点部を野球競技として使用する方法を示す図、図７は本発明による得点部をサッカー競技として使用する方法を示す図の一例である。
【００１３】
図１において、１はスコアボード全体で、３ａ、３ｂ、３ｃ、３ｄの得点部と４ａのカウント表示部と５のチーム名表示部と２のスコア入力端末で構成する。カウント表示部４ａは、８のストライク・ボール・アウト表示部と９の操作スイッチ部を具備し、スコアボード全体の制御を行う。スコア入力端末２は、ケーブル７でカウント表示部４ａと有線で接続することで遠隔操作を行う時に使用する。得点部３ａ、３ｂ、３ｃ、３ｄは同一部品で構成し、ケーブル６ａ、６ｂ、６ｃ、６ｄで接続することにより電源が供給され、それぞれ独立して動作する。
【００１４】
図２は野球スコアボードとして使用した場合の外観図で、カウント表示部４ａと３ａ、３ｂ、３ｃ、３ｄの得点部とチーム名表示部５を並べてスコア識別シート２５ａ〜２５ｋを貼ったものである。
【００１５】
図３はサッカースコアボードとして使用した場合の外観図で４ｂのサッカー用ＰＫ表示部と得点部３ａと得点部３ｄとチーム名表示部５を並べスコア識別シート２６ａ〜２６ｄ、２５ｋを貼ったものである。
【００１６】
図４においてカウント表示部のハード構成を説明する。１０カウント表示制御基板は、１１ＣＰＵを搭載したもので８ストライク・ボール・アウト表示部を駆動する１２ドライブ部と９操作スイッチからの情報を受取る１５操作スイッチインターフェース部と得点部に得点表示指示するための手段である１３通信部Ａと遠隔操作用の２スコア入力端末と接続するための１４通信部Ｂで構成し１６の電池を動力源とする。１７のコネクタは得点部３ｄと接続するものでシリアル通信信号線と電源ラインで構成し１８のコネクタはスコア入力端末２と接続しシリアル通信信号線で構成する。カウント表示部４ａの動作は、１１ＣＰＵに書き込まれたプログラムに従って動作する。
【００１７】
図５は得点部３ａ，３ｂ，３ｃ，３ｄのハード構成で、２２のＣＰＵを搭載した得点制御基板１９と２０ａ〜２０ｆの得点表示基板と他のユニットと接続するコネクタ２１で構成する。２０ａ〜２０ｂの得点基板は、１枚で０〜１９まで表示できるもので、得点制御基板１９とは線材を使用せずにコネクタどうしで直接接続する。
得点表示は、ＣＰＵ２２に組み込まれたプログラムによりコネクタ２１を介してカウント表示部４ａから受信した得点情報に従ってドライバ２４を駆動し表示する。
【００１８】
次に本発明による得点ユニット部の使用方法の実施例を図６および図７で説明する。
図６は得点ユニット部を野球競技として使用する方法を示す図で、得点ユニット部を３ａ、３ｂ、３ｃ、３ｄの順に配置し、スコア識別シート２５ａ〜２５ｋを各得点の上に貼ることで野球競技用スコアボードとして使用する。
【００１９】
図７は得点ユニット部をサッカー競技として使用する方法を示す図で、得点ユニット３ａと３ｄを使用し、スコアシート２６ａから２６ｄと２５ｋを各得点の上に貼ることでサッカー競技用スコアボードとして使用する。
【００２０】
上記では、遠隔操作を有線としたが微弱な電波を用いて無線で伝送するようにすれば同様の効果が得られる。
【００２１】
【発明の効果】
上述したように、本発明によるスコアボードによれば、スコアボードを分割することで持ち運びが容易でしかも独立した機能を持たせたことで現地組立作業が簡単で作業時間も少なくて済み、並べるだけで使用できるために誰でも組立ができる。
【００２２】
また、得点部を組み合わせるだけで野球以外の競技でも使用できるために、経済的でもある。
【図面の簡単な説明】
【図１】本発明による多機能スコアボードの本体部の構成を示す全体図
【図２】本発明によるスコアボードを野球競技で使用した場合の外観図
【図３】本発明によるスコアボードをサッカー競技で使用した場合の外観図
【図４】本発明によるカウント表示・制御ユニット部のハード構成を示すブロック図
【図５】本発明による得点ユニット部のハード構成を示すブロック図
【図６】本発明による得点ユニット部を野球競技として使用する方法を示す図
【図７】本発明による得点ユニット部をサッカー競技として使用する方法を示す図
【符号の説明】
２  ・・・・・・・スコア入力端末
３ａ〜３ｄ  ・・・得点部
４ａ  ・・・・・・カウント表示・制御部
５  ・・・・・・・チーム名部
６  ・・・・・・・ケーブル
７  ・・・・・・・遠隔操作用ケーブル
８  ・・・・・・・ストライク、ボール、アウト表示
９  ・・・・・・・操作スイッチ部
１０  ・・・・・・カウント表示・制御基板
１１  ・・・・・・ＣＰＵ
１３  ・・・・・・通信部１
１４  ・・・・・・通信部２
１５  ・・・・・・操作スイッチインターフェース
１６  ・・・・・・電池部
１９  ・・・・・・得点表示基板
２２  ・・・・・・ＣＰＵ
２３  ・・・・・・受信インターフェース
２５ａ〜２５ｋ・・野球用得点識別ボードシート
２６ａ〜２６ｄ・・・サッカー用得点識別シート
【図１】
2005007112.tif 000003
【図２】
2005007112.tif 000004
【図３】
2005007112.tif 000005
【図４】
2005007112.tif 000006
【図５】
2005007112.tif 000007
【図６】
2005007112.tif 000008
【図７】
2005007112.tif 000009